(57)【要約】      （修正有）【課題】ローラにより肌が摘まみ上げられていることを実感できる、美容ローラを提供する。【解決手段】美容ローラは、ローラ１０と、ローラを回転自在に支持するグリップ２０と、グリップに設けられる撮像装置４２と、を備える。【選択図】図７
2020005670.tif 000002
【特許請求の範囲】
【請求項１】
ローラと、
前記ローラを回転自在に支持するグリップと、
前記グリップに設けられる撮像装置と、を備えることを特徴とする美容ローラ。
【請求項２】
２つの前記ローラを備え、
前記撮像装置は、前記２つのローラの間を撮影するよう構成されていることを特徴とする請求項１に記載の美容ローラ。
【請求項３】
前記グリップは、当該美容ローラの外部から前記撮像装置に向かう光の少なくとも一部を遮光するよう構成されていることを特徴とする請求項１または２に記載の美容ローラ。
【発明の詳細な説明】
【技術分野】
【０００１】
本発明は、美容ローラに関する。
【背景技術】
【０００２】
回転体、すなわちローラを肌にあてて転がす美容ローラが知られている（例えば特許文献１参照）。顔に使用すると、あご周りのフェイスラインが引き締まり、リフトアップ効果が実感できる。複数のローラが肌を摘み上げるタイプのものはマッサージ効果もあり、使っているだけでも気持ちがよい。より積極的に、リンパマッサージの要領で使えば、老廃物の排出が促進され、新陳代謝が上がり、肌艶を改善できる。脚に使えばむくみやセルライトもとれやすくなる。
【先行技術文献】
【特許文献】
【０００３】
【特許文献１】特開２０１３−１０３０８５号公報
【発明の概要】
【発明が解決しようとする課題】
【０００４】
特許文献１に記載されるような従来の美容ローラでは、使用による効果を実感しにくい。
【０００５】
本発明は、こうした状況に鑑みてなされたものであり、その目的は、使用による効果をより実感できる技術を提供することにある。
【課題を解決するための手段】
【０００６】
上記課題を解決するために、本発明のある態様の美容ローラは、ローラと、ローラを回転自在に支持するグリップと、グリップに設けられる撮像装置と、を備える。
【０００７】
なお、以上の構成要素の任意の組み合わせや、本発明の構成要素や表現を方法、装置、システムなどの間で相互に置換したものもまた、本発明の態様として有効である。
【発明の効果】
【０００８】
本発明によれば、使用による効果をより実感できる。
【図面の簡単な説明】
【０００９】
【図１】実施の形態に係る美容ローラの斜視図である。
【図２】図１の美容ローラの上面図である。
【図３】図１の美容ローラの下面図である。
【図４】図１の美容ローラの使用状態を示す正面図である。
【図５】図１の美容ローラの使用状態を示す正面図である。
【図６】図１の美容ローラの使用状態を示す右側面図である。
【図７】図２のＡ−Ａ線を通る断面で切断した美容ローラの一部を示す斜視断面図である。
【図８】図２のＡ−Ａ線断面の一部を拡大して示す図である。
【図９】図２のＡ−Ａ線断面の一部を拡大して示す図である。
【図１０】美容ローラを撮像装置の撮影方向から見た図である。
【図１１】撮像装置によって撮像された撮像画像を示す図である。
【図１２】非接触給電システムの断面を模式的に示す図である。
【図１３】比較例に係る非接触給電システムの断面を模式的に示す図である。
【図１４】変形例に係る美容ローラの撮像ユニットとその周辺を示す断面図である。
【図１５】別の変形例に係る美容ローラの撮像ユニットとその周辺を示す断面図である。
【図１６】さらに別の変形例に係る美容ローラの正面図である。
【図１７】さらに別の変形例に係る美容ローラの斜視図である。
【発明を実施するための形態】
【００１０】
以下、各図面に示される同一または同等の構成要素、部材、工程には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
図１〜５は、美容ローラ１の外観図である。図１は美容ローラ１の斜視図、図２は美容ローラ１の上面図、図３は美容ローラ１の下面図、図４および図５は美容ローラ１の使用状態を示す正面図、図６は美容ローラ１の使用状態を示す右側面図である。美容ローラ１は、２つのローラ１０と、グリップ２０と、２つの操作部２８と、撮像ユニット４０と、を備える。
【００１２】
グリップ２０は、把持部２１と、支持部２２と、を含む。把持部２１は、美容ローラ１を使用する際にユーザが把持する部分であり、略楕円体状に形成される。支持部２２は、把持部２１の一端側に設けられ、把持部２１とは反対側に二股部２３を有する。
【００１３】
各ローラ１０は、グリップ２０の一端側の二股部２３に回転自在に支持された回転体である。各ローラ１０は、本実施の形態では略球状に形成されるが、略楕円体状、略円柱状、その他の形状に形成されてもよい。
【００１４】
各ローラ１０は、互いの回転軸Ｘの間隔がグリップ２０から離れるほど大きくなるように設けられている。これにより、図６に示すようにローラ１０を肌３に押し当て、その姿勢を維持したまま美容ローラ１を矢印Ｒ方向に動かすと、図４に示すように２つのローラ１０によってそれらの間に巻き込まれるように肌３が摘み上げられる。逆に、図６に示すようにローラ１０を肌３に押し当て、その姿勢を維持したまま美容ローラ１を矢印Ｌ方向に動かすと、図５に示すように２つのローラ１０によってそれらの間で肌３が押し広げられる。つまり、肌３の摘み上げおよび押し広げという２通りの使い方が可能になる。肌３が摘み上げられ又は押し広げられることにより、血流やリンパ液の循環が促進する。また、肌がリフトアップされて張りがでる。
【００１５】
本実施の形態では、各ローラ１０内にはヒータが配置され、グリップ２０内に設けられる電源（不図示）から各ヒータに電力が供給されることで、各ヒータひいては各ローラ１０が温められる。これにより、ローラ１０を肌３に当てたときに不快な冷たさをユーザに与えるのを抑止できる。
【００１６】
また、グリップ２０内に設けられる電源のプラスの出力端子、マイナスの出力端子はそれぞれ、ローラ１０、グリップ２０と電気的に接続されている。したがって、グリップ２０を握った状態でローラ１０が人体に触れると閉回路が形成されて人体に微弱電流（マイクロカレント）が流れ、これにより血流の促進やリンパ液の循環の促進などが図られる。
【００１７】
２つの操作部２８は、例えばヒータへの電力供給やローラ１０への電力供給に関する操作を受け付ける操作部である。２つの操作部２８は支持部２２に設けられる。把持部２１に設けられずに支持部２２に設けられるため、美容ローラ１を使用している際の意図しない操作を避けられる。また、２つの操作部２８のうちの一方の操作部２８は、把持部２１の近傍に設けられる。これにより、把持部２１を握っているのと同じ手でその操作部２８を操作できる。２つの操作部２８は、互いに異なる面上に、特に互いに交差する面上に、配置される。別の言い方をすると、２つの操作部２８は、角部や突起部を挟むように配置される。これにより、２つの操作部２８の別を感触から把握でき、それらを押し間違えるのを抑止できる。また、２つの操作部２８が同時に押される事態が生じるのを抑止できる。
【００１８】
撮像ユニット４０は、グリップ２０の二股部２３の下面側に設けられる。具体的には撮像ユニット４０は、撮像装置４２（後述）の撮影方向から見て、２つのローラ１０の間に位置するように設けられる。
【００１９】
図７は、図２のＡ−Ａ線を通る断面で切断した美容ローラの一部を示す斜視断面図である。図８、９は、図２のＡ−Ａ線断面の一部を拡大して示す図である。図９では、肌３を摘まみ上げている様子を示す。図１０は、美容ローラ１を、撮像装置４２の撮影方向に平行な方向（図８の方向Ｐ）から見た図、すなわち撮像面４２ａの法線方向に平行な方向から見た図である。
【００２０】
撮像ユニット４０は、撮像装置４２と、撮像装置４２の撮像範囲を照らすための少なくとも１つの光源４４と、それらを保護するための透光性を有するカバー４６と、を含む。少なくとも１つの光源４４は、図示の例では撮像装置４２の周囲に設けられている。光源４４は、例えばＬＥＤ（発光ダイオード）である。
【００２１】
撮像装置４２は、可視光画像を取得するためのカメラであり、撮像素子（例えばＣＣＤイメージセンサ、ＣＭＯＳイメージセンサ）を含み、撮像して得られた撮像画像を出力する。出力された撮像画像は、不図示の制御部により情報処理端末（例えばスマートフォンやタブレットなど）に送信される。撮像された画像からは、公知の技術を用いて、肌の水分量、キメ、シワ、メラニンなどを確認できる。
【００２２】
撮像装置４２は、２つのローラ１０により摘まみ上げられ又は押し広げられている肌３の様子や、マッサージをしていない状態すなわち２つのローラ１０を肌３に軽く当てた状態の肌３の様子が撮影可能なように構成される。具体的には、撮像装置４２は、撮像装置４２の撮影方向から見たときに、２つのローラ１０の間、具体的には図１０において二点鎖線２６で囲んだ範囲内に配置される。また、撮像装置４２は、その被写界深度が２つのローラ１０の間を含むように構成される。一例として、被写界深度を決める要素のひとつである被写体距離は、８〜１５ｍｍとなる。また、
【００２３】
図１１は、撮像装置４２によって撮像された撮像画像を示す図であって、２つのローラ１０により肌３が摘まみ上げられている様子を示す図である。図１１では、ローラ１０の表面形状を簡略化して示している。図示されるように、撮像装置４２は、摘まみ上げられている肌３の部分に加え、当該部分を摘まみ上げている２つのローラ１０の部分も撮像する。つまり、肌３を摘まみ上げるローラ１０の部分が撮像範囲に含まれるように、撮像装置４２の焦点距離が配置が決定されている。
【００２４】
図７〜９に戻り、美容ローラ１は、美容ローラ１の外部から撮像装置４２に差し込もうとする光の少なくとも一部を遮光するように構成される。具体的には、美容ローラ１は、撮像装置４２の撮影方向から見たときに、２つのローラ１０の間に撮像装置４２が位置するように構成される。これにより、美容ローラ１の外部から撮像装置４２に差し込もうとする光の少なくとも一部が２つのローラ１０によって遮光される。
【００２５】
また、美容ローラ１は、美容ローラ１の外部から撮像装置４２に差し込もうとする光の少なくとも一部がグリップ２０により遮光されるように構成される。図示の例では、撮像装置４２がグリップ２０内に配置されることによって、これが実現されている。言い換えると、グリップ２０の一部が、撮像装置４２と、カバー４６を介して当該撮像装置４２の撮像面４２ａに隣接する領域７０とを環囲する環囲部２４を構成し、この環囲部２４が、美容ローラ１の外部から撮像装置４２に差し込もうとする光の少なくとも一部を遮光する。
【００２６】
環囲部２４は、撮像装置４２および領域７０を囲むように延びる山状の外表面を有する。環囲部２４の最内周面である周壁面２４ａは、撮像面４２ａ側を向く部分を有しないように、別の言い方をするとローラ１０側に離れるほど縮径する部分を有しないように形成される。これより、光源４４からの光が周壁面２４ａで反射して撮像面４２ａに入射するのが抑止される。なお図示の例では、周壁面２４ａは略錐台状をなし、撮像面４２ａからローラ１０側に離れるほど拡径するように形成されている。
【００２７】
図１〜６に戻り、グリップ２０の二股部２３はそれぞれ、対応するローラ１０のグリップ２０側の端部を環囲する。これにより、ヒータにより温められたローラ１０内の熱が逃げるのが抑止される。また、外部からの光（例えば図４、５の光線Ｌ１）が、ローラ１０とグリップ２０との間を通じて２つのローラ１０の間に差し込まないように遮光される。外部からの光が２つのローラ１０の間に差し込まれると、ローラ１０等に反射して撮像装置４２の撮像面４２ａに入射しうるところ、これが抑止される。
【００２８】
次に、実施形態の非接触給電システムについて説明する。
図１２は、非接触給電システムの断面を模式的に示す図である。図１２における美容ローラ１の断面は、図６のＢ−Ｂ線における断面に相当する。非接触給電システムは、充電器５０に設けられる非接触給電部５２と、美容ローラ１のグリップ２０内に設けられる非接触受電部３０およびバッテリ３２とを備える。
【００２９】
非接触給電部５２は、電磁誘導方式や共鳴方式などの方式により送電する。非接触受電部３０は、非接触給電部５２から非接触で受電して、バッテリ３２に電力を供給する。非接触受電部３０は、非接触で非接触給電部５２から受電できるため、充電器５０と美容ローラ１との間で、電力伝送用の電源ケーブルを必要としない。
【００３０】
図１３は、本実施の形態と比較すべき比較例に係る非接触給電システムの断面を模式的に示す図である。比較例では、充電器１５０と対向する美容ローラ１０１のグリップ１２０の下面は曲面状に形成され、当該曲面部を介して非接触給電部５２と非接触受電部３０とが送受電する。
【００３１】
これに対し、本実施の形態では、図１２に示すように、グリップ２０はその下面側に平板状の平面部２５を有し、当該平面部２５を介して非接触給電部５２と非接触受電部３０とが送受電する。この場合、比較例と比べて、非接触給電部５２を非接触受電部３０により近づけることができ、送受電効率が向上する。
【００３２】
つづいて、以上のように構成された美容ローラ１が奏する効果について述べる。実施の形態によれば、２つのローラ１０により摘まみ上げられている又は押し広げられている肌３の部分を撮像できる。つまり、美容ローラ１の使用中の肌３の状態を確認できる。これにより、例えば、２つのローラ１０により肌３が適度に摘み上げられているか、すなわち美容ローラ１を使用することで肌３が軟らかくなっているか否かを確認できる。また例えば、当該部分の水分、キメ、シワ、メラニンなどを確認できる。
【００３３】
また、実施の形態によれば、撮像装置４２によって、肌３を摘まみ上げているローラ１０の部分も撮像される。したがって、撮像画像を確認することにより、ローラ１０により肌３が摘まみ上げられていることを実感できる。
【００３４】
また、実施の形態によれば、美容ローラ１は、美容ローラ１の外部から撮像装置４２に差し込もうとする光の少なくとも一部を遮光するように構成される。これにより、撮像環境を比較的一定にでき、肌の評価が可能となる。
【００３５】
以上、本発明について実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。以下変形例を示す。
【００３６】
（変形例１）
図１４は、変形例に係る美容ローラ１の撮像ユニット４０とその周辺を示す断面図である。図１４は図８に対応する。本変形例に係る美容ローラ１は、取り外し可能にグリップ２０に装着される、撮像ユニット４０を保護するためのカバー６０をさらに備える。カバー６０は、図示の例では板状に形成されている。撮像ユニット４０を使用しない場合にカバー６０を装着して例えば化粧水を塗った状態の肌に美容ローラ１を使用する場合にカバー６０を装着することで、化粧水が撮像ユニット４０に付着するのを抑止できる。カバー６０は取り外し可能であるため、化粧水等で汚れた場合は水洗い等できる。
【００３７】
（変形例２）
図１５は、別の変形例に係る美容ローラ１の撮像ユニット４０とその周辺を示す断面図である。図１５は図８に対応する。本変形例に係る美容ローラ１では、周壁面２４ａは階段状に形成される。この場合、外部からの光や反射して戻ってきた光源４４からの光は、光線Ｌ２で示すように周壁面２４ａの段部２４ｂで反射されてローラ１０に向かう。これにより、外部からの光等が撮像面４２ａに入射するのが抑止される。
【００３８】
（変形例３）
実施の形態では、ヒータがローラ１０内に配置される場合について説明したが、これに限定されない。図１６は、さらに別の変形例に係る美容ローラ１の正面図である。本変形例では、ヒータ７４は、各ローラ１０の外表面に貼り付けられている。これにより、ローラ１０の外表面をより速く温めることが出来る。この場合、二股部２３はそれぞれ、ヒータ７４を環囲するように、すなわちヒータ７４を隠すように形成される。これにより、マッサージ中もそうでないとき、物や人がヒータ７４に直接触れるのを抑止できる。
【００３９】
（変形例４）
実施の形態では特に言及しなかったが、美容ローラ１は撮像装置４２が移動可能に構成されてもよい。
【００４０】
例えば美容ローラ１は、撮像装置４２の向き、すなわち撮像面４２ａの向き、が変更可能に構成されてもよい。この場合、美容ローラ１は、向きを調整可能に撮像装置４２を支持する調整機構を備えてもよい。そして、手動またはモータ駆動でこの調整駆動を調整することにより、撮像装置４２の向きが調整されてもよい。なお、モータ駆動で向きを調整する場合、美容ローラ１は周辺温度を検出する温度センサをさらに備え、当該温度センサにより検出される温度が高い方を撮像装置４２の撮像面４２ａが向くように、すなわち２つのローラ１０により摘まみ上げられ又は押し広げられている肌３の部分を撮像面４２ａが向くように、モータ駆動を制御してもよい。また美容ローラ１は、グリップ２０に対するローラ１０の回転軸の角度が変更可能に構成されてもよく、この場合、ローラ１０の回転軸の角度の変更に伴って、撮像装置４２の向きが変更されてもよい。
【００４１】
また例えば美容ローラ１は、撮像装置４２を撮像面４２ａに垂直な方向に移動可能に構成されてよい。
【００４２】
（変形例５）
実施の形態では、美容ローラ１が撮像装置４２を１つ備える場合について説明したが、これに限定されず、美容ローラ１は複数の撮像装置４２を備えてもよい。この場合、複数の撮像装置４２はそれぞれ、機能や構成が異なる撮像装置であってもよい。
【００４３】
例えば、美容ローラ１は、焦点距離が異なる複数の撮像装置４２を備えてもよい。
【００４４】
また例えば美容ローラ１は、露光時間が異なる複数の撮像装置４２を備えてもよい。具体的には、肌の水分の撮像に適した第１の露光時間を有する第１の撮像装置と、肌のキメやシワの撮像に適した第２の露光時間を有する第２の撮像装置と、肌のメラニンの撮像に適した第３の露光時間を有する撮像装置の３つの第３の撮像装置を備えてもよい。
【００４５】
（変形例６）
２つの操作部２８は、互いに異なる面上に配置されればよく、実施の形態の配置には限定されない。図１７は、さらに別の変形例に係る美容ローラ１の斜視図である。本変形例では、各二股部２３に、各操作部２８が配置されている。
【００４６】
（変形例７）
実施の形態では、美容ローラ１がローラ１０を２つ備える場合について説明したが、これに限られず、ローラ１０を１つまたは３つ以上備える場合にも、本実施の形態の技術思想を適用できる。
【００４７】
上述した実施の形態と変形例の任意の組み合わせもまた本発明の実施の形態として有用である。組み合わせによって生じる新たな実施の形態は、組み合わされる実施の形態および変形例それぞれの効果をあわせもつ。
【符号の説明】
【００４８】
１  美容ローラ、  １０  ローラ、  ２０  グリップ、  ４０  撮像ユニット、  ４２  撮像装置。
【図１】
2020005670.tif 000003
【図２】
2020005670.tif 000004
【図３】
2020005670.tif 000005
【図４】
2020005670.tif 000006
【図５】
2020005670.tif 000007
【図６】
2020005670.tif 000008
【図７】
2020005670.tif 000009
【図８】
2020005670.tif 000010
【図９】
2020005670.tif 000011
【図１０】
2020005670.tif 000012
【図１１】
2020005670.tif 000013
【図１２】
2020005670.tif 000014
【図１３】
2020005670.tif 000015
【図１４】
2020005670.tif 000016
【図１５】
2020005670.tif 000017
【図１６】
2020005670.tif 000018
【図１７】
2020005670.tif 000019